(57)【要約】【課題】  ドライバＩＣの放熱を簡単安価な構造で促進すること。【解決手段】  キャビネット１内に配置した液晶モジュ−ル２が、金属製リアフレーム３の前面開口部に合成樹脂製セルガイド４を介して液晶パネル５を配置し、該液晶パネル５の外周縁を覆うベゼル６をリアフレーム３に止着し、前記セルガイド４とベゼル６との間の隙間αにデータ側ドライバＸを介在させたものであり、該データ側ドライバＸが、液晶パネル５に複数のプリント配線フイルムＦを介して制御基板１０を接続し、その複数のプリント配線フイルムＦにドライバＩＣ１１を付設してなる液晶テレビにおいて、前記ドライバＩＣ１１に対向してリアフレーム３及びセルガイド４に放熱孔１７，１８が形成されている。【選択図】        図１
2011227356.tif 000002
【特許請求の範囲】
【請求項１】
キャビネット内に配置した表示装置本体が、金属製リアフレームの前面開口部に合成樹
脂製セルガイドを介して表示パネルを配置し、該表示パネルの外周縁を覆うベゼルをリア
フレームに止着し、前記セルガイドとベゼルとの間の隙間にデータ側ドライバを介在させ
たものであり、該データ側ドライバが、表示パネルに複数のプリント配線フイルムを介し
て制御基板を接続し、その複数のプリント配線フイルムにドライバＩＣを付設してなる薄
型表示装置において、前記ドライバＩＣに対向してリアフレーム及びセルガイドに放熱孔
が形成されていることを特徴とする薄型表示装置。
【請求項２】
前記ドライバＩＣに対向して前記リアフレームに一対のスリットが所定間隔をおいて形
成され、該両スリット間のドライバＩＣ対向板をリアフレーム内に押し曲げることにより
、リアフレームの放熱孔が形成されていることを特徴とする請求項１に記載の薄型表示装
置。
【発明の詳細な説明】
【技術分野】
【０００１】
本発明は、例えば液晶テレビや液晶モニターなどの薄型表示装置に関し、特に、ドライ
バＩＣの放熱を簡単安価な構造で促進するものである。
【背景技術】
【０００２】
従来、薄型表示装置の一例として図５の縦断面図及び図６の要部分解斜視図に示すもの
があり、これは液晶テレビであって、フロントキャビネット１ａ及びリアキャビネット１
ｂからなるキャビネット１内に液晶モジュ−ル（表示装置本体）２が配置されており、該
液晶モジュ−ル２は、内部にバックライト（図示せず）が配置された金属製リアフレーム
３の前面開口部に横断面略Ｌ字状の合成樹脂製セルガイド４を介して液晶パネル（表示パ
ネル）５を配置し、該液晶パネル５の外周縁を覆う横断面略Ｌ字状の金属製ベゼル６をリ
アフレーム３に止着したものである。なお、図５中、７はリアフレーム３の内周面に配置
した合成樹脂製反射体である。
【０００３】
前記リアフレーム３の上下縁３ａ，３ｂが横断横断面略コ字状に形成され、その下縁３
ｂの正面板８及び外周板９に配置した前記セルガイド４とベゼル６との間の隙間αにデー
タ側ドライバ（Ｘ電極）Ｘが介在されており、該データ側ドライバＸは、液晶パネル５に
複数のプリント配線フイルムＦを介してプリント配線基板からなる制御基板１０を接続し
、その複数のプリント配線フイルムＦにドライバＩＣ１１を付設したものである。
【０００４】
図５及び図６に示すように、リアフレーム３に一体突設したフランジ３ｃがフロントキ
ャビネット１ａに一体突設したボス１２と取付金具１３とにビス１４で止着され、その取
付金具１３にスタンド１５がビス１４により止着されている。なお、関連する技術として
特許文献１に記載にしたものがある。
【先行技術文献】
【特許文献】
【０００５】
【特許文献１】特開２００９−１４９００号公報
【発明の概要】
【発明が解決しようとする課題】
【０００６】
上記従来の構成では、ドライバＩＣ１１がセルガイド４とベゼル６との間の狭い隙間α
内に配置されており、その隙間α内がドライバＩＣ１１の発熱により高温状態になりやす
い構造になっている。その一方で、液晶モジュ−ル２の大型化にともなう消費電力の増大
により、ドライバＩＣ１１の発熱量も大きくなっており、そのドライバＩＣ１１の放熱が
充分になされず、動作不良を起こすおそれがある。
【０００７】
上記難点を解消する技術として、プリント配線フイルムＦをベゼル６に密着させたり、
そのプリント配線フイルムＦに放熱用アルミ箔を貼ることが考えられているが、前者では
、落下などの衝撃がベゼル６にかかったときに、プリント配線フイルムＦの配線パターン
が断線されるおそれがあり、後者では、放熱用アルミ箔を用いることにより、部品点数が
増加し、コストアップになる。
【０００８】
本発明は、上記従来の欠点に鑑み、ドライバＩＣの放熱を簡単安価な構造で促進するよ
うにした薄型表示装置を提供することを目的としている。
【課題を解決するための手段】
【０００９】
上記目的を達成するため、請求項１に記載の発明は、キャビネット内に配置した表示装
置本体が、金属製リアフレームの前面開口部に合成樹脂製セルガイドを介して表示パネル
を配置し、該表示パネルの外周縁を覆うベゼルをリアフレームに止着し、前記セルガイド
とベゼルとの間の隙間にデータ側ドライバを介在させたものであり、該データ側ドライバ
が、表示パネルに複数のプリント配線フイルムを介して制御基板を接続し、その複数のプ
リント配線フイルムにドライバＩＣを付設してなる薄型表示装置において、前記ドライバ
ＩＣに対向してリアフレーム及びセルガイドに放熱孔が形成されていることを特徴として
いる。
【００１０】
請求項２に記載の発明は、請求項１に記載の発明において、前記ドライバＩＣに対向し
て前記リアフレームに一対のスリットが所定間隔をおいて形成され、該両スリット間のド
ライバＩＣ対向板をリアフレーム内に押し曲げることにより、リアフレームの放熱孔が形
成されていることを特徴としている。
【発明の効果】
【００１１】
請求項１に記載の発明によれば、リアフレーム及びセルガイドの放熱孔を通って放熱を
促進するから、ドライバＩＣが高温状態になって動作不良を起こすおそれがなく、そのド
ライバＩＣの信頼性を長期にわたって確実に維持することができる。
【００１２】
また、落下などの衝撃がベゼルにかかっても、その衝撃でプリント配線フイルムの配線
パターンが断線されるおそれがなく、信頼性を高く維持することができる。
【００１３】
前記放熱孔を形成するにあたって、リアフレーム及びセルガイドに孔明け加工を施すだ
けでよく、放熱用アルミ箔などの放熱部材を用いていないので、部品点数が増加せず、構
造簡単で、製作費が安くつく。
【００１４】
請求項２に記載の発明によれば、リアフレームのドライバＩＣ対向板を押し曲げること
により、該リアフレームの放熱孔がセルガイドの放熱孔に対して直交する方向に沿って形
成されており、そのドライバＩＣ対向板でセルガイドの放熱孔が塞がれているから、その
放熱孔を通ってノイズが侵入するのを阻止し、ドライバＩＣがノイズにより誤作動される
のを確実に防止することができる。
【図面の簡単な説明】
【００１５】
【図１】本発明の実施の一形態である薄型表示装置を示す縦断面図である。
【図２】同要部の分解斜視図である。
【図３】同要部の部分分解斜視図である。
【図４】同要部の部分横断面図である。
【図５】従来例を示す縦断面図である。
【図６】同要部の分解斜視図である。
【発明を実施するための形態】
【００１６】
図１〜図４は本発明の実施の一形態である薄型表示装置を示すものであり、これは液晶
テレビであって、ドライバＩＣ１１に対向してリアフレーム３の下縁３ｂの正面板８に放
熱孔１７が形成されると共に、該放熱孔１７に対向してセルガイド４に放熱孔１８が形成
されている。上記以外の構成は図５及び図６に示す構成と同一であるから、同一部分に同
一符号を付してその説明を省略する。
【００１７】
前記放熱孔１７の形成手順を説明すると、図３及び図４に示すように、ドライバＩＣ１
１に対向してリアフレーム３に一対のスリット１７ａを所定間隔をおいて平行に形成し、
該両スリット１７ａ間のドライバＩＣ対向板３ｄをプレス加工でリアフレーム３内に押し
曲げることにより、その略コ字状に押し曲げられたドライバＩＣ対向板３ｄと正面板８と
の間に放熱孔１７が形成されている。
【００１８】
上記構成によれば、リアフレーム３及びセルガイド４の放熱孔１７，１８を通って放熱
を促進するから、ドライバＩＣ１１が高温状態になって動作不良を起こすおそれがなく、
そのドライバＩＣ１１の信頼性を長期にわたって確実に維持することができる。
【００１９】
また、落下などの衝撃がベゼル６にかかっても、その衝撃でプリント配線フイルムＦの
配線パターンが断線されるおそれがなく、信頼性を高く維持することができる。
【００２０】
前記放熱孔１７，１８を形成するにあたって、リアフレーム３及びセルガイド４に孔明
け加工を施すだけでよく、放熱用アルミ箔などの放熱部材を用いていないので、部品点数
が増加せず、構造簡単で、製作費が安くつく。
【００２１】
更に、リアフレーム３のドライバＩＣ対向板３ｄを押し曲げることにより、該リアフレ
ーム３の放熱孔１７がセルガイド４の放熱孔１８に対して直交する方向に沿って形成され
ており、そのドライバＩＣ対向板３ｄでセルガイド４の放熱孔１８が塞がれているから、
その放熱孔１８を通ってノイズが侵入するのを阻止し、ドライバＩＣ１１がノイズにより
誤作動されるのを確実に防止することができる。
【符号の説明】
【００２２】
１        キャビネット
２        液晶モジュ−ル（表示装置本体）
３        リアフレーム
３ｄ      ドライバＩＣ対向板
４        セルガイド
５        液晶パネル（表示パネル）
６        ベゼル
１０      制御基板
１１      ドライバＩＣ
１７      リアフレームの放熱孔
１７ａ    スリット
１８      セルガイドの放熱孔
Ｆ        プリント配線フイルム
Ｘ        データ側ドライバ
α        隙間
【図１】
2011227356.tif 000003
【図２】
2011227356.tif 000004
【図３】
2011227356.tif 000005
【図４】
2011227356.tif 000006
【図５】
2011227356.tif 000007
【図６】
2011227356.tif 000008